(57)【要約】【課題】本発明は、ペットを繋ぐリードがエレベーターのドアに挟まれた場合に、リードを切断するとともにペットを迅速に保護することができるエレベーター用ペット保護システムを提供することを目的とする。【解決手段】エレベーター用ペット保護システムは、乗場１７に形成された乗場出入口の上枠１９及び敷居に設けられ、紐状物体がかごドア１０及び乗場ドア２０に挟まれた状態でかご５が移動した場合に当該紐状物体を切断する切断部３０と、切断部３０ごとに設けられ、対応する切断部３０に一定以上の力が加わった場合に信号を送信する切断検出部３１と、乗場１７に格納され、駆動された場合に当該乗場１７において乗場出入口の前の予め設定された領域を囲む乗場柵２８と、切断検出部３１から信号が送信された場合に、当該信号を送信した切断検出部３１に対応する切断部３０が設けられた乗場１７の乗場柵２８を駆動する乗場柵制御部３２と、を備える。【選択図】図６
2017222451.tif 000002
【特許請求の範囲】
【請求項１】
エレベーターの乗場に形成された乗場出入口の上枠及び敷居に設けられ、紐状物体がかごドア及び乗場ドアに挟まれた状態でかごが移動した場合に当該紐状物体を切断する切断部と、
前記切断部ごとに設けられ、対応する前記切断部に一定以上の力が加わった場合に信号を送信する切断検出部と、
エレベーターの乗場に格納され、駆動された場合に当該乗場において乗場出入口の前の予め設定された領域を囲む乗場柵と、
前記切断検出部から信号が送信された場合に、当該信号を送信した前記切断検出部に対応する前記切断部が設けられた乗場の前記乗場柵を駆動する乗場柵制御部と、
を備えたエレベーター用ペット保護システム。
【請求項２】
前記切断検出部から信号が送信された場合に、当該信号を送信した前記切断検出部に対応する前記切断部が設けられた乗場の映像をかご内モニタに表示させる報知制御部を備えた請求項１に記載のエレベーター用ペット保護システム。
【請求項３】
前記報知制御部は、前記切断検出部から信号が送信された場合に、当該信号を送信した前記切断検出部に対応する前記切断部が設けられた乗場の乗場モニタにかご内の映像を表示させる請求項２に記載のエレベーター用ペット保護システム。
【請求項４】
前記切断検出部から信号が送信された場合に、かごを最寄階で戸開させずに停止させた後、当該信号を送信した前記切断検出部に対応する前記切断部が設けられた階に当該かごを移動させてからエレベーターを休止させる運転制御部を備えた請求項１から３のいずれか１項に記載のエレベーター用ペット保護システム。
【請求項５】
前記乗場柵制御部は、予め設定された復帰操作が行われた場合に前記乗場柵を格納し、
前記運転制御部は、前記復帰操作が行われた場合にエレベーターの運転を再開させる請求項４に記載のエレベーター用ペット保護システム。
【請求項６】
前記乗場柵には、内側から開けることが可能な扉が設けられた請求項１から５のいずれか１項に記載のエレベーター用ペット保護システム。
【発明の詳細な説明】
【技術分野】
【０００１】
本発明は、エレベーター用ペット保護システムに関する。
【背景技術】
【０００２】
下記特許文献１には、エレベーターのドアに紐状物体が挟まれた状態でかごが移動した場合に当該紐状物体を切断する装置が記載されている。
【先行技術文献】
【特許文献】
【０００３】
【特許文献１】特開２００９−１１３９３２号公報
【発明の概要】
【発明が解決しようとする課題】
【０００４】
特許文献１に記載の装置によれば、例えば、かごに乗り込んだ飼い主と乗場に残されたペットとを繋ぐリードがエレベーターのドアに挟まれた場合に、リードが切断される。しかしながら、リードを切断された状態のペットが乗場から移動した場合、飼い主はペットを迅速に保護することができない。
【０００５】
本発明は、上記の課題を解決するためになされた。その目的は、ペットを繋ぐリードがエレベーターのドアに挟まれた場合に、リードを切断するとともにペットを迅速に保護することができるエレベーター用ペット保護システムを提供することである。
【課題を解決するための手段】
【０００６】
本発明に係るエレベーター用ペット保護システムは、エレベーターの乗場に形成された乗場出入口の上枠及び敷居に設けられ、紐状物体がかごドア及び乗場ドアに挟まれた状態でかごが移動した場合に当該紐状物体を切断する切断部と、切断部ごとに設けられ、対応する切断部に一定以上の力が加わった場合に信号を送信する切断検出部と、エレベーターの乗場に格納され、駆動された場合に当該乗場において乗場出入口の前の予め設定された領域を囲む乗場柵と、切断検出部から信号が送信された場合に、当該信号を送信した切断検出部に対応する切断部が設けられた乗場の乗場柵を駆動する乗場柵制御部と、を備えたものである。
【発明の効果】
【０００７】
本発明において、乗場柵は、駆動された場合に当該乗場において乗場出入口の前の予め設定された領域を囲む。乗場柵制御部は、切断検出部から信号が送信された場合に、当該信号を送信した切断検出部に対応する切断部が設けられた乗場の乗場柵を駆動する。このため、本発明によれば、ペットを繋ぐリードがエレベーターのドアに挟まれた場合に、リードを切断するとともにペットを迅速に保護することができる。
【図面の簡単な説明】
【０００８】
【図１】エレベーターの構造の一例を示す模式図である。
【図２】本発明の実施の形態１におけるかごの斜視図である。
【図３】本発明の実施の形態１におけるエレベーターの乗場の外観を示す第１の図である。
【図４】本発明の実施の形態１における上枠の内側を模式的に示す斜視図である。
【図５】本発明の実施の形態１におけるエレベーター用ペット保護システムの構成図である。
【図６】本発明の実施の形態１におけるエレベーターの乗場の外観を示す第２の図である。
【図７】本発明の実施の形態１におけるエレベーター用ペット保護システムの動作例を示すフローチャートである。
【図８】本発明の実施の形態２におけるエレベーター用ペット保護システムの動作例を示すフローチャートである。
【図９】設置機器確認装置のハードウェア構成図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、エレベーターの構造の一例を示す模式図である。
【００１１】
図１に示すように、エレベーター１は、昇降路２、巻上機３、ロープ４、かご５、釣合おもり６及び制御装置７を備えている。昇降路２は、例えば、図示しない建物の各階を貫くように形成されている。巻上機３は、例えば、図示しない機械室等に設けられている。ロープ４は、巻上機３に巻き掛けられている。かご５及び釣合おもり６は、ロープ４によって昇降路２内に吊り下げられている。かご５及び釣合おもり６は、巻上機３が駆動することにより昇降する。
【００１２】
制御装置７は、巻上機３及び遠隔監視装置８と電気的に接続されている。制御装置７は、巻上機３を制御する機能を有している。遠隔監視装置８は、情報センター９と通信する機能を有している。遠隔監視装置８と情報センター９との間の通信は、有線通信であっても無線通信であってもよい。
【００１３】
制御装置７及び遠隔監視装置８は、例えば、エレベーター１が設置された建物に設けられている。情報センター９は、例えば、エレベーター１が設置された建物とは別の建物に設けられている。情報センター９は、例えば、エレベーター１の管理会社に設けられたサーバー等である。
【００１４】
図２は、実施の形態１におけるかごの斜視図である。
【００１５】
図２に示すように、かご５は、かごドア１０を有している。かごドア１０は、例えば、両開きのドアである。図２に示すように、かご５内には、かご内操作盤１１及びかご内カメラ１２が設けられている。かご内操作盤１１は、戸開閉ボタン１３、行先階ボタン１４、かご内モニタ１５及びかご内スピーカー１６を有している。かご内操作盤１１は、例えば、かご５内の壁面に取り付けられている。かご内カメラ１２は、例えば、かご５内の壁面又は天井等に取り付けられている。
【００１６】
図３は、実施の形態１におけるエレベーターの乗場の外観を示す第１の図である。
【００１７】
図３に示すように、乗場１７には、縦枠１８ａ、縦枠１８ｂ及び上枠１９が設けられている。縦枠１８ａ、縦枠１８ｂ及び上枠１９は、乗場出入口を形成している。乗場出入口は、乗場１７から昇降路２に通じる開口である。乗場出入口の下方には、敷居が設けられている。乗場出入口は、乗場ドア２０によって開閉される。乗場ドア２０は、例えば、両開きのドアである。乗場ドア２０の開閉移動は、敷居に形成された溝によって案内される。
【００１８】
図３に示すように、上枠１９には、上部開口２１が形成されている。図３に示すように、敷居には、下部開口２２が形成されている。上部開口２１は、上枠１９の左右方向において、戸閉した状態の乗場ドア２０の戸当たり側端部と同じ位置に形成されている。下部開口２２は、敷居の左右方向において、戸閉した状態の乗場ドア２０の戸当たり側端部と同じ位置に形成されている。下部開口２２は、例えば、上部開口２１を上下反転した形状を呈する。上部開口２１は、乗場出入口の奥行き方向において、上枠１９の昇降路２側の端部に形成されている。下部開口２２は、乗場出入口の奥行き方向において、敷居の昇降路２側の端部に形成されている。つまり、上部開口２１及び下部開口２２は、乗場ドア２０が戸閉した状態では乗場１７から視認されない位置に形成されている。
【００１９】
図３に示すように、乗場１７には、乗場操作盤２３及び乗場カメラ２４が設けられている。乗場操作盤２３は、乗場呼びボタン２５、乗場モニタ２６及び乗場スピーカー２７を有している。乗場操作盤２３は、例えば、乗場出入口付近の壁面に取り付けられている。乗場カメラ２４は、例えば、乗場１７の壁面又は天井等に取り付けられている。
【００２０】
図３に示すように、乗場１７には、乗場柵２８及び乗場柵駆動部２９が設けられている。乗場柵２８は、例えば、乗場１７の床に格納されている。乗場柵２８は、図示しない駆動機構によって乗場１７の床面よりも上方に立ち上がることが可能に形成されている。乗場柵駆動部２９は、例えば、乗場柵２８を駆動する電動機である。乗場柵駆動部２９は、例えば、乗場１７の床に埋め込まれている。
【００２１】
図４は、実施の形態１における上枠の内側を模式的に示す斜視図である。図４における手前方向は乗場１７側であり、図４における奥方向は昇降路２側である。
【００２２】
図４に示すように、上部開口２１は、上枠１９の奥側の側面から下面にかけて連続して形成されている。上部開口２１は、例えば、水平方向から見て上側ほど横幅が狭くなる三角形を呈する。上部開口２１は、例えば、上下方向から見て手前側ほど横幅が狭くなる三角形を呈する。
【００２３】
なお、図示しないが、下部開口２２は、敷居の奥側の側面から上面にかけて連続して形成されている。下部開口２２は、例えば、水平方向から見て下側ほど横幅が狭くなる三角形を呈する。下部開口２２は、例えば、上下方向から見て手前側ほど横幅が狭くなる三角形を呈する。つまり、下部開口２２は、例えば、図４に示す上部開口２１を上下反転した形状で敷居に形成されている。
【００２４】
図４に示すように、上枠１９の内側には、切断部３０及び切断検出部３１が設けられている。図４に示す切断部３０は、例えば、刃を下に向けて配置されたカッターである。図４に示す切断部３０の刃は、上下方向において上部開口２１と対向している。切断検出部３１は、例えば、マイクロスイッチ等である。切断検出部３１は、切断部３０ごとに設けられている。
【００２５】
なお、図示しないが、乗場１７の敷居の内側にも、切断部３０及び当該切断部３０に対応する切断検出部３１が設けられている。敷居の内側に設けられた切断部３０は、例えば、刃を上に向けて配置されたカッターである。敷居の内側に設けられた切断部３０は、上下方向において下部開口２２と対向している。つまり、敷居の内側に設けられた切断部３０は、例えば、図４に示す切断部３０を上下反転した状態で配置されている。
【００２６】
このように、乗場１７には、乗場操作盤２３、乗場カメラ２４、乗場柵２８、乗場柵駆動部２９、切断部３０及び切断検出部３１が設けられている。これらの構成は、例えば、エレベーター１のかご５に乗降可能な全ての階に設けられてもよい。これらの構成は、例えば、エレベーター１のかご５に乗降することが可能な階のうち一部だけに設けられてもよい。
【００２７】
図５は、実施の形態１におけるエレベーター用ペット保護システムの構成図である。
【００２８】
図５に示すように、エレベーター用ペット保護システムは、制御装置７、かご内操作盤１１、かご内カメラ１２、乗場操作盤２３、乗場カメラ２４、乗場柵駆動部２９及び切断検出部３１を備えている。制御装置７は、かご内操作盤１１、かご内カメラ１２、乗場操作盤２３、乗場カメラ２４、乗場柵駆動部２９及び切断検出部３１と電気的に接続されている。制御装置７は、乗場柵制御部３２、報知制御部３３及び運転制御部３４を有している。
【００２９】
かご内カメラ１２は、例えば、かご５内の映像を常時撮影する。かご内カメラ１２は、かご５内の床面の少なくとも一部を撮影する。以下、かご内カメラ１２で撮影された映像を「かご内映像」とも呼ぶ。
【００３０】
乗場カメラ２４は、例えば、乗場１７の映像を常時撮影する。乗場カメラ２４は、少なくとも乗場出入口の前の予め設定された領域を撮影する。当該領域は、乗場柵２８の内側の領域の少なくとも一部を含む。以下、乗場カメラ２４で撮影された映像を「乗場映像」とも呼ぶ。
【００３１】
切断検出部３１は、例えば、対応する切断部３０に一定以上の力が加わった場合に、制御装置７に対して信号を送信する。切断部３０に力が加わる場合とは、例えば、ペットのリードがかごドア１０及び乗場ドア２０に挟まれた状態でかご５が移動する場合である。この場合、かご５が上昇すると、上枠１９の内側に設けられた切断部３０によってリードが切断される。また、この場合、かご５が下降すると、乗場１７の敷居の内側に設けられた切断部３０によってリードが切断される。つまり、切断検出部３１は、例えば、切断部３０によってペットのリードが切断されたことを検出する。以下、信号を送信した切断検出部３１に対応する切断部３０が設けられた階を「切断検出階」とも呼ぶ。
【００３２】
乗場柵制御部３２は、乗場柵駆動部２９の動作を制御することで、乗場柵２８を駆動する。乗場柵制御部３２は、切断検出部３１から制御装置７に信号が送信された場合に、切断検出階の乗場１７の乗場柵２８を駆動する。つまり、乗場柵制御部３２は、例えば、切断部３０によってペットのリードが切断された場合に、当該ペットの居る乗場１７の乗場柵２８を立ち上げる。
【００３３】
図６は、実施の形態１におけるエレベーターの乗場の外観を示す第２の図である。図６は、かご５に乗り込んだ飼い主と乗場１７に残されたペットとを繋ぐリードが切断部３０によって切断された場合を示している。この場合、図６に示すように、乗場出入口の前の領域が乗場柵２８で囲まれた状態となる。乗場柵２８は、乗場出入口の通行を妨げる位置には立ち上がらない。立ち上がった状態の乗場柵２８の高さは、例えば、１メートル以上である。乗場柵２８は、例えば、伸縮式又は折り畳み式の構造に形成されてもよい。
【００３４】
報知制御部３３は、例えば、かご内スピーカー１６及び乗場スピーカー２７の動作を制御する。報知制御部３３は、例えば、かご内モニタ１５及び乗場モニタ２６の動作を制御する。報知制御部３３は、切断検出部３１から信号が送信されたことに基づく報知を行う。
【００３５】
報知制御部３３は、切断検出部３１から制御装置７に信号が送信された場合に、かご内スピーカー１６及び少なくとも切断検出階の乗場スピーカー２７から音声アナウンスを放送させる。報知制御部３３は、例えば、かご５が切断検出階に引き返すことを示すとともに乗車したままでいることを促す音声アナウンスをかご内スピーカー１６から放送させる。報知制御部３３は、例えば、かご５が切断検出階に引き返すことを示すとともに乗場１７で待機することを促す音声アナウンスを乗場スピーカー２７から放送させる。
【００３６】
報知制御部３３は、切断検出部３１から制御装置７に信号が送信された場合に、切断検出階の乗場１７の乗場カメラ２４で撮影されている映像をかご内モニタ１５に表示させる。報知制御部３３は、映像に加えて、かご内スピーカー１６から放送される音声アナウンスの内容と同様のメッセージをかご内モニタ１５に表示させてもよい。報知制御部３３は、切断検出部３１から制御装置７に信号が送信された場合に、かご内カメラ１２で撮影されている映像を少なくとも切断検出階の乗場１７の乗場モニタ２６に表示させる。報知制御部３３は、映像に加えて、乗場スピーカー２７から放送される音声アナウンスの内容と同様のメッセージを乗場モニタ２６に表示させてもよい。
【００３７】
報知制御部３３は、切断検出部３１から制御装置７に信号が送信された場合に、切断検出階以外の乗場１７の乗場スピーカー２７からは、例えば、他の階でペット保護中であることを示す音声アナウンスを放送させてもよい。報知制御部３３は、切断検出部３１から制御装置７に信号が送信された場合に、切断検出階以外の乗場１７の乗場モニタ２６には、例えば、他の階でペット保護中であることを示すメッセージ等を表示させてもよい。
【００３８】
運転制御部３４は、巻上機３の動作を制御することで、かご５の移動を制御する。運転制御部３４は、切断検出部３１から制御装置７に信号が送信された場合に、かご５を進行方向の最寄階で戸開させずに停止させる。その後、運転制御部３４は、かご５を切断検出階まで移動させて戸開させる。運転制御部３４は、例えば、かご５が切断検出階で戸開した状態で、エレベーター１を休止させる。
【００３９】
切断検出部３１から信号が送信されたことに基づいてエレベーター１が休止した場合、報知制御部３３は、例えば、エレベーター１が休止中であることを示す音声アナウンスを全ての階の乗場スピーカー２７から放送させる。切断検出部３１から信号が送信されたことに基づいてエレベーター１が休止した場合、報知制御部３３は、例えば、エレベーター１が休止中であることを示すメッセージを全ての階の乗場モニタ２６に表示させる。切断検出部３１から信号が送信されたことに基づいてエレベーター１が休止した場合、報知制御部３３は、例えば、情報センター９及び建物の管理者等に対してエレベーターが休止したことを発報する。
【００４０】
図７は、実施の形態１におけるエレベーター用ペット保護システムの動作例を示すフローチャートである。
【００４１】
制御装置７は、切断検出部３１から信号を受信したか否かを判定する（ステップＳ１０１）。切断検出部３１から信号を受信していない場合、制御装置７は、ステップＳ１０１の処理を繰り返す。
【００４２】
ステップＳ１０１で切断検出部３１から信号を受信したと判定された場合、乗場柵制御部３２は、切断検出階の乗場１７の乗場柵２８を立ち上げる（ステップＳ１０２）。報知制御部３３は、かご５内及び乗場１７に音声アナウンスを放送させる（ステップＳ１０３）。報知制御部３３は、かご５内に乗場映像を表示させ、乗場１７にかご内映像を表示させる（ステップＳ１０４）。
【００４３】
運転制御部３４は、かご５を最寄階に一時停止させる（ステップＳ１０５）。ステップＳ１０５に続いて、運転制御部３４は、かご５を戸開させずに切断検出階へ移動させる（ステップＳ１０６）。ステップＳ１０６に続いて、運転制御部３４は、切断検出階でかご５を戸開させる（ステップＳ１０７）。ステップＳ１０７に続いて、運転制御部３４は、エレベーター１を休止させる（ステップＳ１０８）。
【００４４】
エレベーター１が休止すると、報知制御部３３は、エレベーター１が休止中であることを乗場１７に報知する（ステップＳ１０９）。報知制御部３３は、エレベーターが休止したことを情報センター９に発報する（ステップＳ１１０）。
【００４５】
実施の形態１において、切断部３０は、エレベーター１の乗場１７に形成された乗場出入口の上枠１９及び敷居に設けられ、紐状物体がかごドア１０及び乗場ドア２０に挟まれた状態でかご５が移動した場合に当該紐状物体を切断する。切断検出部３１は、切断部３０ごとに設けられ、対応する切断部３０に一定以上の力が加わった場合に信号を送信する。乗場柵２８は、エレベーター１の乗場１７に格納され、駆動された場合に当該乗場１７において乗場出入口の前の予め設定された領域を囲む。乗場柵制御部３２は、切断検出部３１から信号が送信された場合に、当該信号を送信した切断検出部３１に対応する切断部３０が設けられた乗場１７の乗場柵２８を駆動する。このため、実施の形態１によれば、乗場に取り残されたペットが乗場から移動すること防止できる。その結果、ペットを繋ぐリードがエレベーターのドアに挟まれた場合に、リードを切断するとともにペットを迅速に保護することができる。
【００４６】
実施の形態１において、報知制御部３３は、切断検出部３１から信号が送信された場合に、当該信号を送信した切断検出部３１に対応する切断部３０が設けられた乗場１７の映像をかご内モニタ１５に表示させる。このため、実施の形態１によれば、かごに乗り込んだ飼い主は、乗場に取り残されたペットの様子を確認することができる。
【００４７】
実施の形態１において、報知制御部３３は、切断検出部３１から信号が送信された場合に、当該信号を送信した切断検出部３１に対応する切断部３０が設けられた乗場１７の乗場モニタ２６にかご５内の映像を表示させる。このため、実施の形態１によれば、ペットだけがかごに乗り込んでしまった場合に、乗場に居る飼い主は、かご内のペットの様子を確認することができる。
【００４８】
実施の形態１において、運転制御部３４は、切断検出部３１から信号が送信された場合に、かご５を進行方向の最寄階で戸開させずに停止させた後、当該信号を送信した切断検出部３１に対応する切断部３０が設けられた階に当該かごを移動させてからエレベーター１を休止させる。このため、実施の形態１によれば、ペット又は飼い主の一方が乗場に取り残された場合に、当該乗場でペットと飼い主を再会させることができる。その結果、ペットを繋ぐリードがエレベーターのドアに挟まれた場合に、リードを切断するとともにペットを迅速に保護することができる。
【００４９】
実施の形態２．
以下、実施の形態１との相違点を中心に、エレベーター用ペット保護システムの構成を説明する。実施の形態１と同一又は相当する部分には同一の符号を付して、一部の説明を省略する。
【００５０】
実施の形態２において、乗場柵制御部３２は、乗場柵２８が駆動された状態で予め設定された復帰操作が行われた場合に、乗場柵２８を格納する。運転制御部３４は、エレベーター１が休止している状態で復帰操作が行われた場合に、エレベーター１の運転を再開させる。
【００５１】
実施の形態２において、報知制御部３３は、復帰操作が行われた場合に、切断検出部３１から信号が送信されたことに基づく報知を停止させる。つまり、報知制御部３３は、復帰操作が行われた場合に、かご内スピーカー１６、乗場スピーカー２７、かご内モニタ１５及び乗場モニタ２６を通常の動作状態に戻す。
【００５２】
復帰操作は、例えば、乗場呼びボタン２５、戸開閉ボタン１３又は行先階ボタン１４に対する予め設定された操作であってもよい。復帰操作は、例えば、乗場１７又はかご５等に設置された専用の復帰ボタン等を操作することであってもよい。
【００５３】
図８は、実施の形態２におけるエレベーター用ペット保護システムの動作例を示すフローチャートである。
【００５４】
図８に示すステップＳ２０１からステップＳ２０９までの処理は、図７に示すステップＳ１０１からステップＳ１０９までの処理と同様である。
【００５５】
エレベーター１が休止すると、報知制御部３３は、エレベーター１が休止したことを建物の管理者に発報する（ステップＳ２１０）。ステップＳ２１０に続いて、制御装置７は、復帰操作が実施されたか否かを判定する（ステップＳ２１１）。復帰操作が実施されていない場合、制御装置７は、ステップＳ２１１の処理を繰り返す。
【００５６】
Ｓ２１１で復帰操作が実施されたと判定された場合、乗場柵制御部３２は、乗場柵２８を格納する（ステップＳ２１２）。ステップＳ２１２に続いて、運転制御部３４は、エレベーター１の運転を再開させる（ステップＳ２１３）。
【００５７】
実施の形態２において、乗場柵制御部３２は、復帰操作が行われた場合に乗場柵２８を格納する。運転制御部３４は、復帰操作が行われた場合にエレベーター１の運転を再開させる。このため、実施の形態２によれば、例えば、建物の管理者の判断で、エレベーターを休止状態から復帰させることができる。その結果、実施の形態１と同様の効果を実現し、且つエレベーターの利用者の利便性が低下することを抑制することができる。
【００５８】
実施の形態１及び２において、報知制御部３３は、切断検出部３１から制御装置７に信号が送信された場合、乗場柵２８が駆動されるよりも前の時点で、ペット保護用の柵が立ち上がることを知らせる音声アナウンスを切断検出階の乗場スピーカー２７から放送させてもよい。これにより、切断検出階の乗場１７に居る他の利用者に対して注意喚起することができる。
【００５９】
実施の形態１及び２において、報知制御部３３は、切断検出部３１から制御装置７に信号が送信された場合に、かご内スピーカー１６及び切断検出階の乗場スピーカー２７から同一の音声アナウンスを放送させてもよい。この場合、当該音声アナウンスは、例えば、かご５が切断検出階に引き返すことを知らせるとともに、かご５内に居る利用者は乗車したままでいること及び乗場１７に居る利用者は当該乗場１７で待機することを促すものであればよい。
【００６０】
実施の形態１及び２において、運転制御部３４は、切断検出部３１から制御装置７に信号が送信された場合、かご５が切断検出階に引き返した後に、当該信号が送信される前の時点で登録されていた行先階にかご５を移動させてからエレベーター１を休止させてもよい。この場合、エレベーターの利用者の利便性が低下することを抑制できる。
【００６１】
実施の形態１及び２において、乗場柵２８には、内側から開けることが可能な扉が設けられていてもよい。当該扉は、人間が通ることが可能な大きさに形成されていればよい。この場合、乗場柵２８が格納されなくとも、ペットを保護した飼い主が乗場柵２８の外側に出ることができる。
【００６２】
図９は、制御装置のハードウェア構成図である。
【００６３】
制御装置７における乗場柵制御部３２、報知制御部３３及び運転制御部３４の各機能は、処理回路により実現される。処理回路は、専用ハードウェア５０であってもよい。処理回路は、プロセッサ５１及びメモリ５２を備えていてもよい。処理回路は、一部が専用ハードウェア５０として形成され、更にプロセッサ５１及びメモリ５２を備えていてもよい。図９は、処理回路が、その一部が専用ハードウェア５０として形成され、プロセッサ５１及びメモリ５２を備えている場合の例を示している。
【００６４】
処理回路の少なくとも一部が、少なくとも１つの専用ハードウェア５０である場合、処理回路は、例えば、単一回路、複合回路、プログラム化したプロセッサ、並列プログラム化したプロセッサ、ＡＳＩＣ、ＦＰＧＡ、又はこれらを組み合わせたものが該当する。
【００６５】
処理回路が少なくとも１つのプロセッサ５１及び少なくとも１つのメモリ５２を備える場合、乗場柵制御部３２、報知制御部３３及び運転制御部３４の各機能は、ソフトウェア、ファームウェア、又はソフトウェアとファームウェアとの組み合わせにより実現される。ソフトウェア及びファームウェアはプログラムとして記述され、メモリ５２に格納される。プロセッサ５１は、メモリ５２に記憶されたプログラムを読み出して実行することにより、各部の機能を実現する。プロセッサ５１は、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、ＤＳＰともいう。メモリ５２は、例えば、ＲＡＭ、ＲＯＭ、フラッシュメモリー、ＥＰＲＯＭ、ＥＥＰＲＯＭ等の、不揮発性又は揮発性の半導体メモリ、磁気ディスク、フレキシブルディスク、光ディスク、コンパクトディスク、ミニディスク、ＤＶＤ等が該当する。
【００６６】
このように、処理回路は、ハードウェア、ソフトウェア、ファームウェア、又はこれらの組み合わせによって、制御装置７の各機能を実現することができる。なお、かご内操作盤１１及び乗場操作盤２３の各機能も、図９に示す処理回路と同様の処理回路により実現される。
【符号の説明】
【００６７】
１  エレベーター
２  昇降路
３  巻上機
４  ロープ
５  かご
６  釣合おもり
７  制御装置
８  遠隔監視装置
９  情報センター
１０  かごドア
１１  かご内操作盤
１２  かご内カメラ
１３  戸開閉ボタン
１４  行先階ボタン
１５  かご内モニタ
１６  かご内スピーカー
１７  乗場
１８ａ  縦枠
１８ｂ  縦枠
１９  上枠
２０  乗場ドア
２１  上部開口
２２  下部開口
２３  乗場操作盤
２４  乗場カメラ
２５  乗場呼びボタン
２６  乗場モニタ
２７  乗場スピーカー
２８  乗場柵
２９  乗場柵駆動部
３０  切断部
３１  切断検出部
３２  乗場柵制御部
３３  報知制御部
３４  運転制御部
５０  専用ハードウェア
５１  プロセッサ
５２  メモリ
【図１】
2017222451.tif 000003
【図２】
2017222451.tif 000004
【図３】
2017222451.tif 000005
【図４】
2017222451.tif 000006
【図５】
2017222451.tif 000007
【図６】
2017222451.tif 000008
【図７】
2017222451.tif 000009
【図８】
2017222451.tif 000010
【図９】
2017222451.tif 000011